【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
１つまたは複数のプロセッサと、
メモリと
を備えたクライアント装置であって、
前記メモリに格納され、かつ前記１つまたは複数のプロセッサが実行可能な検索エフェクチュエイタであって、前記メモリに格納され、かつ前記１つまたは複数のプロセッサによって実行される電子番組ガイド（ＥＰＧ）アプリケーションによって生成される電子番組ガイド（ＥＰＧ）に視覚的に表示されるリンクを選択することに応答して検索要求を作成し、該作成された検索要求を検索サービスに送信する、検索エフェクチュエイタと、
前記メモリに格納され、かつ前記１つまたは複数のプロセッサが実行可能なリンクターゲットモニタであって、前記電子番組ガイド（ＥＰＧ）のセレクタをモニタして、前記電子番組ガイド（ＥＰＧ）に視覚的に表示されるリンクがユーザ入力に基づいて選択された時に検出を行う、リンクターゲットモニタと、
前記メモリに格納され、かつ前記１つまたは複数のプロセッサが実行可能な検索結果スクラバであって、前記検索要求に応答して受信された検索結果からイメージを抽出することによってスクラブし、該検索結果から抽出されたイメージのスライドショーを該クライアント装置に関連付けられた表示画面に提示するために提供する、検索結果スクラバと
をさらに備えたことを特徴とするクライアント装置。
【請求項２】
前記メモリに格納され、かつ前記１つまたは複数のプロセッサが実行可能なスクラブ結果プレゼンタであって、前記検索結果から抽出されたイメージのスライドショーをスクラブされた検索結果として前記表示画面に提示する、スクラブ結果プレゼンタをさらに備えたことを特徴とする請求項１に記載のクライアント装置。
【請求項３】
前記スクラブ結果プレゼンタは、前記リンクが選択されたことに応答して、前記検索結果から抽出されたイメージをスライドショーとして提示するスライドショービューアを含むことを特徴とする請求項２に記載のクライアント装置。
【請求項４】
前記検索要求は、該検索要求のキーワードとして使用された、選択されたリンクから取り出された少なくとも一つのワードを含むことを特徴とする請求項１に記載のクライアント装置。
【請求項５】
前記検索エフェクチュエイタは、前記検索サービスへの前記検索要求を、テレビジョンネットワーク経由でテレビジョンネットワークサーバに送信し、該テレビジョンネットワークサーバは、該検索要求を汎用ネットワーク経由で該検索サービスに転送することを特徴とする請求項１に記載のクライアント装置。
【請求項６】
前記汎用ネットワークはインターネットを含み、前記検索サービスはサードパーティの検索エンジンを含み、
前記検索エフェクチュエイタは、イメージ検索が要求されていることのインジケーションを含めることによって、前記サードパーティの検索エンジンに従って検索要求を生成することを特徴とする請求項１に記載のクライアント装置。
【請求項７】
前記検索結果スクラバは、前記検索結果のイメージタグに従って該検索結果を構文解析し、該検索結果からイメージを抽出することを特徴とする請求項１に記載のクライアント装置。
【請求項８】
前記検索結果スクラバは、前記構文解析された検索結果を、イメージおよびテキストを含む第１のフォーマットから、抽出されたイメージの提示をスライドショーとして行うための第２のフォーマットに変換することを特徴とする請求項７に記載のクライアント装置。
【請求項９】
前記第１のフォーマットは、ＨＴＭＬ形式を含み、第２のフォーマットは、ＸＭＬ形式を含むことを特徴とする請求項８に記載のクライアント装置。
【請求項１０】
検索を併用した電子番組ガイド（ＥＰＧ）経由のメディア・アクセスのための機器構成であって、
前記機器構成は、
メモリに格納され、かつ１つまたは複数のプロセッサが実行可能な検索実行手段であって、電子番組ガイド（ＥＰＧ）に視覚的に表示されるリンクが選択されたことに応答して検索要求を作成し、該作成された検索要求を検索サービスに送信する、検索実行手段と、
前記メモリに格納され、かつ前記１つまたは複数のプロセッサが実行可能なモニタ手段であって、前記電子番組ガイド（ＥＰＧ）のリンクターゲットをモニタして、前記電子番組ガイド（ＥＰＧ）に視覚的に表示されるリンクがユーザ入力によって選択された時に検出を行う、モニタ手段と、
前記メモリに格納され、かつ前記１つまたは複数のプロセッサが実行可能な検索結果スクラブ手段であって、前記検索要求に起因する検索結果からイメージを抽出し、該イメージを抽出することによってアクセス可能なフォーマットのスクラブされた検索結果を生成し、該検索結果から抽出されたイメージのスライドショーを前記機器構成に関連付けられた表示画面に提示するために提供する、検索結果スクラブ手段と
を備えたことを特徴とする機器構成。
【請求項１１】
前記メモリに格納され、かつ前記１つまたは複数のプロセッサが実行可能な結果表示手段であって、前記検索結果スクラブ手段によって生成されたスクラブ済みの検索結果をアクセス可能なフォーマットで前記関連付けられた表示画面上に提示する、結果表示手段をさらに備えたことを特徴とする請求項１０に記載の機器構成。
【請求項１２】
前記検索実行手段は、前記電子番組ガイド（ＥＰＧ）に表示される選択されたリンクの少なくとも一部を前記検索要求のキーワードとして使用して前記検索要求を生成する生成手段を含むことを特徴とする請求項１０に記載の機器構成。
【請求項１３】
前記検索実行手段は、前記選択されたリンクに関連する前記検索要求をテレビジョンネットワーク経由でサーバに送信する送信手段であって、該サーバは前記検索サービスに該検索要求を転送する、送信手段を含み、
前記検索要求は、イメージ検索が要求されていることのインジケーションを含むことを特徴とする請求項１０に記載の機器構成。
【請求項１４】
前記検索結果スクラブ手段は、
前記検索結果を構文解析し、該検索結果のイメージタグを識別する解析手段と、
前記構文解析された検索結果を、イメージおよびテキストを含む第１のフォーマットから、抽出されたイメージの提示をスライドショーとして行うための第２のフォーマットに変換する変換手段と
をさらに含むことを特徴とする請求項１０に記載の機器構成。
【請求項１５】
前記機器構成は、１つまたは複数のプロセッサがアクセス可能な記憶媒体または少なくとも１つのデバイスのうちの少なくとも１つを含むことを特徴とする請求項１０に記載の機器構成。
【請求項１６】
クライアント装置のプロセッサがアクセス可能な記憶媒体であって、該記憶媒体はプロセッサ実行可能命令を含み、
前記プロセッサが前記プロセッサ実行可能命令を実行すると、該プロセッサ実行可能命令は、前記クライアント装置に、
複数のテレビチャンネルエントリを表示する電子番組ガイド（ＥＰＧ）を生成するステップであって、該電子番組ガイド（ＥＰＧ）は該テレビチャンネルエントリの１つに関連して視覚的に表示される少なくとも１つのリンクを含む、ステップと、
前記少なくとも１つのリンクが選択されたことを受信するステップと、
前記少なくとも１つのリンクが選択されたことに応答してファイルグループの検索を実行するステップと、
前記実行された検索による検索結果を受信するステップであって、該検索結果は第１のフォーマットである、ステップと、
前記検索結果におけるイメージまたはイメージに対するリンクを識別する前記第１のフォーマットの前記検索結果をスクラブし、該検索結果から前記イメージを抽出することによって第２のフォーマットのスクラブ済みの検索結果を生成して該検索結果から抽出されたイメージのスライドショーを前記クライアント装置に関連付けられた表示画面に提示するために提供するステップと
を実行させることを特徴とする記憶媒体。
【請求項１７】
前記検索を実行するステップは、
少なくとも１つのキーワードを決定するために前記選択された少なくとも１つのリンクを使用して検索要求を生成するステップと、
検索がイメージ検索であることのインジケーションを有する前記検索要求を検索サービスに送信するステップと
をさらに含むことを特徴とする請求項１６に記載の記憶媒体。
【請求項１８】
前記少なくとも１つのキーワードは、男優または女優の名前の少なくとも一部を含み、
前記送信するステップは、テレビジョンネットワークおよびインターネット経由で前記検索要求を前記検索サービスに送信することを含むことを特徴とする請求項１７に記載の記憶媒体。
【請求項１９】
前記スクラブするステップは、
前記検索結果のイメージタグを識別する前記第１のフォーマットの検索結果を構文解析し、該構文解析された検索結果を生成するステップと、
前記構文解析された検索結果を、イメージおよびテキストを含む第１のフォーマットから変換して、前記第２のフォーマットのイメージまたはイメージに対するリンクを含む構文解析済み、かつ変換済みの検索結果を生成するステップと
をさらに含み、
前記プロセッサ実行可能命令は、クライアント装置に、
前記第２のフォーマットの前記構文解析済み、かつ変換済みの検索結果を前記表示画面に提示するステップをさらに実行させることを特徴とする請求項１６に記載の記憶媒体。
【請求項２０】
前記スクラブ済みの検索結果は、識別されたイメージまたはイメージに対するリンクについてのＵＲＬを含むことを特徴とする請求項１６に記載の記憶媒体。
【請求項２１】
前記スクラブ済みの検索結果は、複数のイメージファイルを含み、
前記プロセッサ実行可能命令は、前記プロセッサによって実行されると、クライアント装置に、
前記少なくとも１つのリンクが選択されたことに応答して、スライドショー機構を使用することによって前記複数のイメージファイルを前記表示画面に提示し、複数のイメージを検索結果として表示するステップをさらに実行させることを特徴とする請求項１６に記載の記憶媒体。
【請求項２２】
前記プロセッサがアクセス可能な記憶媒体は、１つまたは複数の記憶媒体を含むことを特徴とする請求項１６に記載の記憶媒体。
【請求項２３】
電子番組ガイド（ＥＰＧ）内に視覚的に表示される少なくとも１つのリンク名を有する電子番組ガイド（ＥＰＧ）を表示するステップと、
前記視覚的に表示される少なくとも１つのリンク名が選択されるかどうかを検出するために前記電子番組ガイド（ＥＰＧ）のセレクタをモニタするステップと、
前記少なくとも１つのリンク名が選択された場合に、
検索要求を使用して検索サービスで検索を実行するステップであって、該検索要求は、検索のための検索用語としての前記少なくとも１つのリンク名の少なくとも一部と、イメージ検索が要求されていることのインジケーションとを含む、と、
前記イメージ検索の実行結果として第１のフォーマットの検索結果を受信するステップと、
第１のフォーマットの検索結果のイメージを識別して第２のフォーマットの検索結果を生成するステップであって、該第２のフォーマットはスライドショーとしてのイメージを提供する、ステップと、
前記少なくとも１つのリンク名が選択されたことに応答して、前記第２のフォーマットの検索結果をイメージのスライドショーとして表示画面に提示するステップと
を含むことを特徴とする方法。
【請求項２４】
前記検索を実行するステップは、
前記検索要求をインターネット経由で、前記検索サービスを含むサードパーティの検索エンジンに対して送信するステップをさらに含むことを特徴とする請求項２３に記載の方法。
【請求項２５】
第１のフォーマットの検索結果のイメージを識別して第２のフォーマットの検索結果を生成するステップは、
前記第１のフォーマットの検索結果を構文解析し、イメージまたはイメージに対するリンクを抽出するステップと、
前記イメージまたはイメージに対するリンクをスライドショー提示用の第２のフォーマットに変換するステップと
をさらに含むことを特徴とする請求項２３に記載の方法。
【請求項２６】
１つまたは複数のプロセッサと、
メモリと
を備えたテレビジョンベースのクライアント装置であって、
前記メモリに格納され、かつ前記１つまたは複数のプロセッサが実行可能な電子番組ガイド（ＥＰＧ）アプリケーションであって、該アプリケーションは複数のチャンネルエントリを表示する電子番組ガイド（ＥＰＧ）を生成し、該チャンネルエントリは前記テレビジョンベースのクライアント装置を介して見ることが可能なプログラムをリストし、該電子番組ガイド（ＥＰＧ）は少なくとも１つの選択可能なリンクを少なくとも１つのチャンネルエントリに視覚的に表示する、電子番組ガイド（ＥＰＧ）アプリケーションと、
前記メモリに格納され、かつ前記１つまたは複数のプロセッサが実行可能な検索エフェクチュエイタであって、該検索エフェクチュエイタは、前記電子番組ガイド（ＥＰＧ）の一部として少なくとも１つのチャンネルエントリに視覚的に表示された前記少なくとも１つの選択可能なリンクがユーザによって選択されたことに応答してイメージ検索を実行し、ユーザによって選択されたリンクに基づいて検索要求を作成し、該検索要求をネットワーク経由で検索サービスに送信し、該検索要求は、検索要求のキーワードとして使用された該選択されたリンクの少なくとも一部と、イメージ検索が要求されていることのインジケーションとを含む、検索エフェクチュエイタと、
前記メモリに格納され、かつ前記１つまたは複数のプロセッサが実行可能なリンクターゲットモニタであって、前記電子番組ガイド（ＥＰＧ）のセレクタをモニタして、前記電子番組ガイド（ＥＰＧ）の個々のチャンネルエントリに視覚的に表示されるリンクがユーザ入力に基づいて選択された時に検出を行う、リンクターゲットモニタと、
前記メモリに格納され、かつ前記１つまたは複数のプロセッサが実行可能な検索結果スクラバであって、検索結果のイメージタグに基づいて該検索結果からイメージを抽出することによって該検索要求に応答して受信された該検索結果をスクラブし、該検索結果から抽出されたイメージのスライドショーを前記クライアント装置に関連付けられた表示画面に提示するために提供する、検索結果スクラバと、
前記メモリに格納され、かつ前記１つまたは複数のプロセッサが実行可能なスクラブ結果プレゼンタであって、前記リンクが選択されたことに応答して、前記検索結果から抽出されたイメージをスライドショーとして前記表示画面に提示する、スクラブ結果プレゼンタと
をさらに備えたことを特徴とするテレビジョンベースのクライアント装置。